(57)【要約】【課題】電子回路の接触領域に、ピンを正確に位置させるとともに、コネクタをサブアッセンブリ化する。【解決手段】２つの電子回路を連結するコネクタ及びその組み立て方法に関し、コネクタ（１）は、ベース（１０）に保持されたピン（４）と、案内部（１１）と、案内部（１１）とベース（１０）との間に設けられた案内手段（１２）とを備えている。ピン（４）の少なくともいくつかは、ベース（１０）から突出し、案内部（１１）を貫通しているソケット（１３）内をスライドする。案内手段（１２）は、ベース（１０）に連結された第１部分（１４）と、案内部（１１）に形成された相補的な第２部分（１５）とを備えている。ベース（１０）は、第１の電子回路（２）に連結され、案内手段（１２）の第１部分（１４）は、案内手段（１２）の第２部分（１５）及び第２の電子回路（３）を通って案内される。本発明の方法は、コネクタ（１）を電子回路（２）（３）に取り付ける前に、案内部（１１）がピン（４）の自由端を遮蔽するようになっていることを特徴としている。
2006524889.tif 000002
【特許請求の範囲】
【請求項１】
２つの電子回路（２）（３）を連結するためのものであって、導電性のピン（４）を備え、各ピン（４）は、第１の電子回路（２）により保持された第１の電気的な接触領域（５）と、第２の電子回路（３）により保持された第２の電気的な接触領域（６）とを電気接続するようになっているコネクタ（１）において、
前記ピン（４）を固定保持し、絶縁材料で形成されたベース（１０）と、絶縁材料で形成された案内部（１１）と、案内部（１１）とベース（１０）との間に挿入されている案内手段（１２）とを備え、
少なくともいくつかの前記ピン（４）は、ベース（１０）から突出し、ベース（１０）の自由端は、案内部（１１）のソケット（１３）にスライドして嵌合し、
前記案内手段（１２）は、ベース（１０）に固定されて突出する第１部分と、第１部分に貫通され、案内部（１１）に形成された相補的な第２部分とを備えていることを特徴とするコネクタ。
【請求項２】
案内手段（１２）の第１部分は、ベース（１０）に対して、ピン（４）の突出量以上に突出していることを特徴とする、請求項１記載のコネクタ。
【請求項３】
ピン（４）を、自由にスライドさせて案内部（１１）のソケット（１３）に係合し、案内手段（１２）の第１部分を、第２部分に密着してスライドさせうるようにしてあることを特徴とする、請求項１記載のコネクタ。
【請求項４】
案内手段（１２）のピン（４）を、案内部（１１）のソケット（１３）との間の遊びよりも大きい遊びをもって、電子回路（３）の孔（９）へ貫通させた、請求項１記載のコネクタ。
【請求項５】
案内手段（１２）の第１部分を、ピン（４）と孔（９）との間の遊びより小さい遊びをもって、電子回路（３）の孔（２２）へ貫通させた、請求項４記載のコネクタ。
【請求項６】
ピン（４）を、案内部（１１）のソケット（１３）に対するよりも強固に、ベース（１０）のソケット（１８）に取り付けた、請求項１記載のコネクタ。
【請求項７】
案内手段（１２）の第１部分は、複数のスピゴット（１４）からなり、各スピゴット（１４）は、案内部（１１）に設けられ、かつ案内手段（１２）の第２部分をなしている相補的な貫通孔（１５）に、正確にスライドしうるようにして、挿入されていることを特徴とする、請求項１記載のコネクタ。
【請求項８】
ベース（１０）には、ベース（１０）を第１の電子回路（２）に固定するための突起部材を設けてあることを特徴とする、請求項１記載のコネクタ。
【請求項９】
突起部材はペグ（１６）からなり、その自由端に、少なくとも１つのスロットと同一平面にある面取りされたラグ（１７）を備え、このペグ（１６）は、ベース（１０）を第１の電子回路（２）にスナップ留めするために、第１の電子回路（２）における相補的な孔へ挿入されていることを特徴とする、請求項８記載のコネクタ。
【請求項１０】
ピン（４）は、矩形断面を有する金属性のタングからなり、自由端である尖ったヘッド部（７）と、このタングと直交するフット部（８）とを備えていることを特徴とする、請求項１記載のコネクタ。
【請求項１１】
フット部（８）は、第１の電子回路（２）の第１の電気的な接触領域（５）と、電気的接触するようになっていることを特徴とする、請求項１０記載のコネクタ。
【請求項１２】
案内手段（１２）の第１部分は、ベース（１０）と一体をなしていることを特徴とする、請求項１記載のコネクタ。
【請求項１３】
パワー段である第１の電子回路（２）と、制御段である第２の電子回路（３）とを連結しうるようになっている、請求項１記載のコネクタ。
【請求項１４】
２つの段を、自動車のオルタネータ−スタータ用の電子式の指令制御ユニットに取り付けたことを特徴とする、請求項１３記載のコネクタ。
【請求項１５】
案内部（１１）を、ピン（４）の自由端を遮蔽する初期取り付け位置と、ピン（４）の自由端を露出する取り付け位置とに設けうるようになっている、請求項１記載のコネクタの組み立て方法。
【請求項１６】
初期取り付け位置において、案内部（１１）を保持するための突出部材（１１４）を設けてあることを特徴とする、請求項１５記載の方法。
【発明の詳細な説明】
【技術分野】
【０００１】
本発明は、例えば、フランス国特許公開第2,745,444号公報に記載されているように、自動車のオルタネータ−スタータ用の電子式指令制御ユニットに取り付けられる２つの電子回路、すなわち、パワー段である第１の電子回路と、制御段である第２の電子回路とを連結するコネクタに関する。
【０００２】
より一般的に言うと、本発明は、上述のような各段に設けられる種々の回路に適用できるものであり、コネクタにより、第１の電子回路から、その上方にある第２の電子回路へ、電子データが送られるようになっている。
【０００３】
本明細書において、電子回路とは、電気または電子素子を備える回路のことである。
【０００４】
また、本発明は、コネクタの組み立て方法にも関する。
【背景技術】
【０００５】
フィンガと呼ばれる導電性のピンを有するコネクタを用いることは知られている。各ピンは、第１の電子回路により保持された電気的な第１の接触領域と、第２の電子回路により保持された電気的な第２の接触領域とを電気接続するようになっている。
【発明の開示】
【発明が解決しようとする課題】
【０００６】
電子回路の接触領域に、ピンを正確に位置させることができるのが望ましい。
【０００７】
また、コネクタをサブアッセンブリ化することが望ましい。
【０００８】
本発明の目的は、これらの要求を満たすことにある。
【課題を解決するための手段】
【０００９】
本発明は、上述したような電気的なコネクタにおいて、ピンを固定保持し、絶縁材料で形成されたベースと、絶縁材料で形成された案内部と、案内部片とベースとの間に挿入される案内手段とを備え、少なくともいくつかの前記ピンは、ベースから突出し、各ベースの自由端は、案内部のソケットにスライドして嵌合し、前記案内手段は、ベースに固定されて突出する第１部分と、第１部分に貫通され、案内部に形成された相補的な第２部分とを備えていることを特徴とするコネクタを提供するものである。
【００１０】
ある実施例においては、ベースは、パワー段である第１の回路に固定され、案内手段の第１部分は、第２部分に案内されて、例えば低電力回路や、論理回路を含む第２の回路を貫通している。
【００１１】
この構成を逆にすることもできる。
【００１２】
すなわち、変形例では、ベースを、第２の回路に固定し、案内手段の第１部分を、第２部分に案内されて、第１の回路を貫通するようになっている。
【００１３】
本発明によると、ピンを、第１及び第２の電気的な接触領域に、正しく位置させることができる。
【００１４】
ベースは、例えば第１の回路にピンを固定して位置させ、コネクタを前記第１の回路に取り付ける前の第１段階において、案内手段の第２部分は、ベースに固定された案内手段の第１部分に貫通される。ベースにはピンが設けられている。案内部とベースとの相対運動は継続し、各ピンの自由端は、案内部のソケットを貫通する。この相対運動は、ピンの自由端が、案内部のソケットに嵌入されて遮蔽されるコネクタの初期取り付け位置になると、終了するようにするのが好ましい。
【００１５】
このようにして、取り扱い及び運搬が容易なアッセンブリが得られる。ピンの自由端は、案内部により遮蔽されて露出しておらず、かつ、案内手段の第１部分が案内部を貫通するので、自由端は保護される。運搬及び種々の取り扱い中に、ピンが変形することはない。
【００１６】
次に、同じまたは異なる位置において、ピンを、第１の電子回路に、例えばろう付けにより固定したり、スナップ留めによりベースに固定する。それにより、ピンは、第１の電子回路の接触領域に電気的に連結される。
【００１７】
その後、第２の電子回路は、容易かつ即座に、案内手段の第１部分に係合する。第２の電子回路は、案内部の上面と接触し、押圧板として作用する。そのため、案内部は、ピンが突出し、第２の電子回路に固定された電気的な第２の接触領域に接触するまで、ベースに対し案内手段に沿って移動する。
【００１８】
その後、ピンを、例えばろう付けにより、電気的な第２の接触領域に固定する。
【００１９】
変形例として、上述した構成を変更し、扱いが容易で、持ち運び可能なサブアッセンブリを組み立てた後に、第２の電子回路にピンを固定し、その後、第１の電子回路を案内手段に係合させるようにしてもよい。
【００２０】
このように、電子回路にコネクタを組み立てる本発明の方法は、案内部を、ピンを遮蔽する初期取り付け位置と、第２の電子回路を押圧することにより、ピンを露出させる取り付け位置とに設けることができることを特徴としている。
【００２１】
案内手段の第１部分から突出する上述した手段により、案内部を初期取り付け位置に保持するのが好ましい。
【００２２】
このような手段は、ピンの自由端を露出するために、第２または第１の電子回路により案内部が押圧された時に停止するようになっている。
【００２３】
ピンが、捻れるおそれはない。
【００２４】
ピンを、案内部のソケットにスライドして貫通させ、一方、案内部がなくならず、ピンを変形させず、かつ、容易に案内できるように、案内手段の２つの部分を、より強固に取り付けてあるのが好ましい。
【００２５】
簡単で安価であるので、案内手段の第１部分は、スピゴットからなっているのが好ましい。また、各スピゴットは、案内部に形成され、案内手段の第２部分である相補的な貫通孔に、正確にスライドして係合するようになっているのが好ましい。
【００２６】
ベース及び案内部は、絶縁性のプラスチック材料で形成されているのが好ましい。このようにすると、金型成型により、安価に、かつ複雑な形状に形成することができる。
【００２７】
このように、ある実施例では、ベースには、第１または第２の電子回路にスナップ留めによる固定手段が設けられており、スピゴットは、ベースと一体形成されている。
【００２８】
ベースを第１または第２の電子回路に取り付ける前記手段は、案内手段のスピゴットと軸方向に整列して位置するペグのような突出部材を備えている。
【００２９】
また、ピンをベースに、簡単に、例えば金型成型、スナップ留め、またはベースに形成された固定ソケットへの圧力嵌めにより固定することもできる。
【００３０】
スピゴットを、ベースと一体形成するのが好ましく、このようにすると、部材数が減り、案内機能が向上する。また、スピゴットを別部材とし、上述したように、ピンのためにベースに取り付けてもよい。
【００３１】
１つの実施例においては、スピゴットは、第１または第２の電子回路にベースを固定するように設けられた手段と一体化される。
【００３２】
ピンを、案内部のソケットよりも、ベースに強固に取り付けるのが好ましい。
【００３３】
このような構成とすると、案内部及びベースは互いに近接し、予め組み立てられたコネクタをなくすことはなくなる。
【００３４】
ある実施例においては、ピンは、面取りされた自由端と折り曲げられたフット部とを有するタングからなっており、そのため、第１または第２の電子回路の露出された接触領域との接触面は大となっている。
【００３５】
スピゴットの自由端も、面取りしてあるのが好ましい。
【００３６】
本発明によると、前記タングは保護されるので、大きくする必要はない。
【００３７】
変形例として、ピンを、尖った形状の自由端を有する円筒状のフィンガとすることができる。
【００３８】
１つの実施例においては、全てのピンは、ベースにより保持されており、案内部は、タングのソケットを備えており、それにより、ベースを簡単に製造できる。ベースは、コネクタの雄型部をなし、案内部は、コネクタの雌型部をなす。
【００３９】
変形例として、ベースに、いくつかの、好ましくは大部分のピンを保持させ、残りのピンを案内部で保持させてもよい。この場合、ベースはソケットを、案内部はピンを備えることとなる。
【００４０】
上述した全ての事項は、用途及び回路の形態に基づいて採用されるものである。
【００４１】
他の特徴として、ピンを、製造誤差、特に、第１の電子回路におけるピンの位置決め誤差を吸収するためのピントソケットとの間の遊びより大きい遊びをもって、第２または第１の電子回路に形成された孔へ貫通させるようにすることも好ましい。
【００４２】
本発明及び本発明のその他の目的、特徴、詳細及び利点は、図面を用いて説明する例示的な実施例から明らかになると思う。
【発明を実施するための最良の形態】
【００４３】
図１は、電子回路のコネクタ（１）の斜視図である。このコネクタ（１）は、図３及び図４に一部が示される２つの電子回路（２）（３）を連結するようになっている。
【００４４】
このコネクタ（１）は、フィンガと呼ばれる導電性の平らな複数のピン（４）を有している。各ピン（４）は、電子回路（２）により保持された電気的な第１の接触領域（５）と、電子回路（２）の上方にある電子回路（３）により保持された電気的な第２の接触領域（６）とを導通させるようになっており、コネクタ（１）は、これら２つの領域の間に挿入される。
【００４５】
各電子回路（２）（３）は、プリント回路基板を備え、接触領域（５）（６）は、プリント回路基板の上面に露出されている。公知のように、プリント回路基板には、電子素子、接続線、接触領域（５）（６）を接続するパッチが設けられている。
【００４６】
ピン（４）は、接触領域（５）（６）を導通させ、それにより、データが、一方の回路から他方の回路へ送られるようになっている。
【００４７】
本実施例において、ピン（４）は、矩形断面を有する金属性のタングからなっており、タングの自由端は、尖ったヘッド部（７）と、このヘッド部（７）と直交するフット部（８）とからなっている。
【００４８】
フット部（８）は、下方にある電子回路（２）の第１の接触領域（５）と電気接触するようになっている。フット部（８）と接触領域（５）とは、例えば、直接的または間接的なろう付けにより連結される。
【００４９】
一つの特徴によれば、フット部（８）により、接触領域（５）との電気的接触が良好となり、電子回路（２）に対して、コネクタ（１）を安定して位置させることができるとともに、大きなろう付け領域を得ることができる。
【００５０】
本実施例において、ヘッド部（７）は、製造誤差上の遊びをもって、上方の電子回路（３）に形成された孔（９）を貫通している。孔（９）は、接触領域（６）により、すなわち、ヘッド部（７）と電子回路（３）との間にろう付けされた接合部により区切られている。
【００５１】
コネクタ（１）をなくすおそれは小さく、かつ、その扱い及び運搬は容易である。コネクタ（１）は、３つの部材、すなわち、ベース（１０）、案内部（１１）及び案内手段（１２）を備えている。
【００５２】
より詳しく言うと、本発明によるコネクタ（１）は、ピン（４）を固定保持し、絶縁材料で形成されたベース（１０）と、絶縁材料で形成された案内部（１１）と、ベース（１０）と案内部（１１）との間に設けられた案内手段（１２）とを備えている。ピン（４）の少なくともいくつかは、ベース（１０）から突出しており、その自由端であるヘッド部（７）は、案内部（１１）のソケット（１３）内にスライドして案内される。
【００５３】
案内手段（１２）は、ベース（１０）に固定された第１部分である突出したスピゴット（１４）と、スピゴット（１４）をスライド移動させるように、案内部（１１）に形成された相補的な第２部分である貫通孔（１５）とを備えている。スピゴット（１４）は、貫通孔（１５）を貫通し、孔（２２）を有する電子回路（３）へ案内される。
【００５４】
図面に示すように、ベース（１０）は、ペグ（１６）により、電子回路（２）に固定されるようになっている。
【００５５】
ピン（４）は、ベース（１０）を貫通している。本実施例では、全てのピン（４）は、ベース（１０）により保持されており、ヘッド部（７）及びフット部（８）は、ベース（１０）の両側から、それぞれ突出している。
【００５６】
図において、ベース（１０）、案内部（１１）及び案内手段（１２）は、金型成型可能な絶縁性プラスチック材料で形成されている。ベース（１０）及び案内部（１１）は、おおむね平行六面体である。
【００５７】
変形例として、ベース（１０）及び案内部（１１）を、他の形状とすることもできる。これらの部材の断面を、矩形、多角形、円形、その他の形状としてもよい。
【００５８】
案内手段（１２）は、ベース（１０）の上面（１９）から突出する２つのスピゴット（１４）を備えている。スピゴット（１４）は、ピン（４）よりも大きく、上面（１９）から突出している。案内手段（１２）のスピゴット（１４）は、ベース（１０）と一体的に金型成形されている。スピゴット（１４）は円筒状であり、円形断面である。変形例として、スピゴットを別部材とし、ベース（１０）に取り付けてもよい。
【００５９】
案内手段（１２）の第２部分である貫通孔（１５）は、スピゴット（１４）と相補的な形状となっている。貫通孔（１５）は、案内部（１１）を貫通しており、断面円形である。変形例として、スピゴット（１４）及び貫通孔（１５）を、円形断面以外の形状、例えば矩形や正方形の断面としてもよい。
【００６０】
本実施例では、２つのスピゴット（１４）及び２つの貫通孔（１５）を設けてある。
【００６１】
各スピゴット（１４）は、面取りされた自由端を有し、貫通孔（１５）と、貫通孔（１５）と整列させて電子回路（３）に設けた孔（２２）とを、容易に貫通できるようになっている。
【００６２】
スピゴット（１４）及び貫通孔（１５）は、ベース（１０）及び案内部（１１）のそれぞれの側面と近接している。
【００６３】
すなわち、案内部（１１）は、スピゴット（１４）に沿って、正確にかつ滑らかにスライドするようになっている。
【００６４】
変形例として、案内手段（１２）を、ベース（１０）及び案内部（１１）の側面の高さのところで取り付けたスライド及び案内レールとしてもよい。
【００６５】
取り付け手段は、ベース（１０）と一体形成されており、本実施例では、スピゴット（１４）の反対方向に突出して整列するペグ（１６）からなっている。
【００６６】
ペグ（１６）の自由端には、スロット（符号を付していない）と同じ高さの面取りされた２つのラグ（１７）が設けられている。３つ以上のラグ、すなわち２つ以上のスロットを設けてもよい。
【００６７】
図３からわかるように、ペグ（１６）は、電子回路（２）に設けられた相補的な孔（符号を付していない）を貫通して延びているので、ラグ（１７）も孔に嵌入されている。ラグ（１７）は、スロットにより一体化され、その後、再び分離されて、ラグ（１７）の上面が電子回路（２）の下面と当接している。
【００６８】
本実施例において、ベース（１０）は、電子回路（２）に、より詳しく言うと、電子回路（２）のプリント回路基板にスナップ留めされている。ペグの数は、適用例に基づいて定められる。変形例として、例えばベース（１０）の各コーナーに１つのペグを、従って２つ以上のペグを設けることもある。
【００６９】
他の変形例では、ペグ（１６）は滑らかであり、ペグ（１６）を、電子回路（２）の孔を貫通させた後、熱により潰して平らとし、電子回路（２）をベース（１０）に固定するリベットとしてもよい。
【００７０】
さらに他の変形例として、電子回路（２）にベース（１０）を、ねじやボルトにより固定してもよい。
【００７１】
また、ベース（１０）は、案内部（１１）のソケット（１３）と対応する複数のソケット（１８）を有している。
【００７２】
本実施例において、ソケット（１８）（１３）は、ピン（４）と対応する矩形断面を有している。
【００７３】
ピン（４）は、例えば圧力嵌めにより、ソケット（１８）に固定されている。
【００７４】
さらに他の変形例では、確実に固定するために、ピン（４）に、例えば鋸形状の突起部を設け、それにより、ピン（４）がベース（１０）からはずれないようにしている。
【００７５】
本発明の好適な特徴によれば、ピン（４）は、案内部（１１）のソケット（１３）よりも強固に、ベース（１０）のソケット（１８）に取り付けられている。
【００７６】
他の特徴によれば、ピン（４）は、案内部（１１）のソケット（１３）に自由にスライドして取り付けられ、一方、案内手段（１２）のスピゴット（１４）は貫通孔（１５）に強固に取り付けられている。そのため、案内部（１１）がなくなったり、ピン（４）が変形したりすることがなく、容易に案内されるようになる。
【００７７】
さらに他の特徴によれば、ピン（４）は、製造誤差を吸収するように、案内部（１１）のソケット（１３）との間にある遊びよりも大きい遊びをもって形成された電子回路（３）の孔（９）を貫通しているのが好ましい。
【００７８】
本発明による方法の第１段階では、ピン（４）を、一体形成されたスピゴット（１４）及びペグ（１６）を備えるベース（１０）の相補的なソケット（１８）に挿入し、それにより、突出したペグ（１６）及びピン（４）を保持するベース（１０）を備えるコネクタ（１）の雄型部を形成する。コネクタ（１）の雌型部は、案内部（１１）からなっている。
【００７９】
次に、スピゴット（１４）及びピン（４）を、ベース（１０）の上面（１９）から平行に突出させる。スピゴット（１４）は、ピン（４）よりも突出するので、スピゴット（１４）は、案内部（１１）の貫通孔（１５）と、上方の電子回路（３）のプリント回路基板に形成された孔（２２）とを貫通する。
【００８０】
スピゴット（１４）の長さは、適用例に基づいて定められる。特に、２つの電子回路（２）（３）間の距離と、案内部（１１）及びベース（１０）の厚さとに基づいて定められる。
【００８１】
第２段階では、スピゴット（１４）を案内部（１１）の貫通孔（１５）に通し、図２の状態になるまで押し込む。ピン（４）のヘッド部（７）を、案内部（１１）の上面（２０）に到達させることなく、ソケット（１３）に挿入する。案内部（１１）の下面（２１）とベース（１０）の上面（１９）との間に、クリアランスＪが発生する。
【００８２】
案内部（１１）のこの位置を、コネクタ（１）の初期取り付け位置とする。
【００８３】
スピゴット（１４）は、少なくとも１つの薄い留め具を有しているのが好ましい。本実施例では、案内部（１１）の下面（２１）と協動し、案内部（１１）をコネクタ（１）の初期取り付け位置に保持する複数の留め具（１１４）を有している。
【００８４】
このように、スピゴット（１４）を貫通孔（１５）に強固に取り付けてあるので、扱いやすく、なくなるおそれはなく、容易に持ち運びできるアッセンブリが提供される。
【００８５】
第３段階では、ベース（１０）をペグ（１６）により、第１の電子回路（２）にスナップ留めし、ピン（４）のフット部（８）を接触領域（５）に半田付けする。
【００８６】
第４段階では、電子回路（３）のプリント回路基板に、スピゴット（１４）を通す。そのため、プリント回路基板は、スピゴット（１４）を正確にスライドさせて貫通させる、上述したような孔（２２）を有している。電子回路（３）のプリント回路基板に、引き続き押圧力Ｐをかけ、電子回路（３）を、案内部（１１）の上面（２０）に接触させて設ける。それにより、ピン（４）のヘッド部（７）は、案内部（１１）を貫通し、次いで孔（９）に入る。
【００８７】
第４段階において、案内部（１１）は、留め具（１１４）の上方に位置している。
【００８８】
このような構成を変更し、スピゴットに少なくとも１つの溝を設け、留め具を嵌合させ、案内部（１１）をコネクタ（１）の初期取り付け位置に保持させるようにしてもよい。
【００８９】
このように、コネクタ（１）には、案内部（１１）をコネクタ（１）の初期取り付け位置に保持する手段が設けられている。
【００９０】
製造誤差及び簡単な取り付けのために、孔（２２）とスピゴット（１４）との間の遊びは、ピン（４）と孔（９）との間の遊びよりも小さいのが好ましい。
【００９１】
このようにすると、図２に示すクリアランスＪは、小さくなり、図４の最終位置へ来る。
【００９２】
最終位置において、第５段階では、ピン（４）を接触領域（６）に半田付けする。
【００９３】
最終位置では、下面（２１）と上面（１９）との間に、取り付けのための隙間が生成される。
【００９４】
変形例として、コネクタの電子回路（２）（３）の間に、スペーサを設けてもよい。
【００９５】
フット部（８）が半田付け面を増やすので、半田付けを簡単に行うことができる。
【００９６】
このような構造を変更し、ベース（１０）を電子回路（３）に固定し、スピゴット（１４）を電子回路（２）を貫通させるようにしてもよい。
【００９７】
電子回路（２）（３）のプリント回路基板は、本発明によるコネクタ（１）とともに、オルタネータ−スタータ用の電子式の指令制御ユニットの一部をなしている。このオルタネータ−スタータは、国際公開第ＷＯ01/69762号公報及びフランス国特許公開第2,745,444号公報に記載されているような公知の自動車のエンジンを始動させる電気モータとして、同様に作用するマルチフェーズ型のリバーシブルオルタネータである。
【００９８】
この回転式の電気装置は、固定部に装置を固定するためのケーシングと、少なくとも１つの内側ファンを有する換気装置を保持するステータ、及びロータとからなる窪んだ支持部を備えている。
【００９９】
ステータは、ロータシャフトに固定されたロータを包囲している。
【０１００】
例えば、ヨーロッパ特許公開第0 515 259号公報及び対応する米国特許第5,270,605号の実施例に示されるロータの少なくとも一方の軸端には、オルタネータ−スタータを冷却する内側ファンが設けられており、支持部には、公知のように、ファンの回転動作による空気流のための流入口及び流出口をなす開口部が設けられている。
【０１０１】
他の例では、オルタネータは、水冷式であり、支持部には、ダクトが設けられており、かつ、ロータに軸向きファンが取り付けられている。前記支持部は、上記したヨーロッパ特許公開第0 515 259号公報に示されているように、少なくとも２つの部材である前部ベアリング及び後部ベアリングを備えている。変形例では、支持部は２つ以上の部材を備えている。
【０１０２】
ステータの外周には巻線が巻回され、ロータシャフトを回転可能に取り付けるために、１列または２列のボールを有するロールベアリングのようなセントラルベアリングを有している。そのため、ロータ及びステータは、２つの部材である前部ベアリングプレート及び後部ベアリングプレートからなる支持部の内側に取り付けられる。
【０１０３】
例えば、ロータは、国際公開第ＷＯ01/69762号公報に開示されているような励磁巻線を有する爪型ロータ、またはランデル型ロータである。
【０１０４】
他の変形例では、ロータは、国際公開第ＷＯ02/054566号公報に記載されているように、突出極ロータ、または、ハイブリッド型（永久磁石及び突出極を有する）ロータである。
【０１０５】
この例において、ロータは、圧縮されたラミネーション層を備え、永久磁石を収容するハウジングと、励磁巻線が巻回されるアームとが形成されている。永久磁石のハウジングは、励磁巻線を収容する開口部が形成された磁石保持片により閉塞されている。磁石保持片は、例えば、磁石保持片及びラミネーション層を貫通するストレッチャーにより、ラミネーション層の一側方で固定されている。
【０１０６】
ステータ巻線は、フランス国特許公開第2,820,896号公報に記載されているように、おおむねＵ状であり、好ましくは矩形断面であるヘアピンのようなバー状の導電性部材を有している。
【０１０７】
変形例では、米国特許第4,163,187号及びフランス国特許公開第2,737,063号公報に記載されているように、ステータの各巻線は、同じスロット内に設けられ、異なる断面のデルタ巻線とスター巻線とを備えている。
【０１０８】
全ての場合において、装置のステータは、固定された支持部により、巻線とともに保持されたボディを備えている。ボディの位相出力端子は、例えば連結装置により電子式の指令制御ユニットに連結されている。連結装置は、指令制御ユニットへの接続のための第１のコネクタ及び第２のコネクタにより、オルタネータ−スタータの位相出力端子に接続されたケーブルを備えている。
【０１０９】
第２のコネクタは、指令制御ユニットにおいて、酸化金属半導体電界効果トランジスタ型のトランジスタブリッジに接続されている。このブリッジは、フランス国特許公開第2,745,444号公報に記載されているように、制御ユニットからの信号により制御される。このブリッジは、オルタネータ−スタータがオルタネータまたはスタータとして動作している場合、特に、自動車のエンジンを始動させるように動作している場合、オルタネータ−スタータのステータ巻線の相のための整流ブリッジ及び制御ブリッジである。
【０１１０】
その場合、制御ユニットの電子回路（２）は、酸化金属半導体電界効果トランジスタを備える電力回路であり、制御ユニットの電子回路（３）は、前記制御ユニットを含む指令制御回路である。この回路は、論理部を含んでいる。制御信号は、コネクタ（１）を介して送られる。
【０１１１】
すなわち、電子回路（２）は、例えばフィン型の放熱器を有する制御ユニットのべースに近接するパワー段をなしている。変形例として、循環流体により冷却されるタイプとすることもできる。電子回路（３）は、放熱する電子回路（２）から離れて設けられた指令制御段である。
【０１１２】
変形例では、電子式の指令制御ユニットを、例えば上述した国際公開第ＷＯ01/69762号公報に記載されているように、オルタネータ−スタータに取り付けるようにしてもよい。
【０１１３】
他の変形例として、2003年4月12日出願のフランス国特許出願第205,098号に記載されているように、ＤＣ−ＤＣコンバータ内に電子回路（２）（３）及びコネクタ（１）を設けてもよい。
【０１１４】
全ての組み合わせが可能である。
【図面の簡単な説明】
【０１１５】
【図１】コネクタのベースに取り付けられる前の２つのピンを有する、本発明によるコネクタの斜視図である。
【図２】２つの電子回路間に取り付けられる前の、本発明によるコネクタの正面図である。
【図３】コネクタのベースが第１の電子回路に固定され、第２の電子回路によりコネクタの案内部が押圧されている場合の本発明によるコネクタの正面図である。
【図４】コネクタが挿入される２つの電子回路において、ピンの１つを最終位置に取り付けた場合の、コネクタのベース及び案内部を省略して示した本発明によるコネクタの拡大部分断面図である。
【符号の説明】
【０１１６】
１          コネクタ
２          第１の電子回路
３          第２の電子回路
４          ピン
５、６      接触領域
７          ヘッド部
８          フット部
９          孔
１０        ベース
１１        案内部
１２        案内手段
１３        ソケット
１４        スピゴット
１５        貫通孔
１６        ペグ
１７        ラグ
１８        ソケット
１９、２０  上面
２１        下面
２２        孔
１１４      留め具
【図１】
2006524889.tif 000003
【図２】
2006524889.tif 000004
【図３】
2006524889.tif 000005
【図４】
2006524889.tif 000006
【国際調査報告】
2006524889.tif 000007
2006524889.tif 000008
2006524889.tif 000009
2006524889.tif 000010
2006524889.tif 000011
2006524889.tif 000012